(57)【要約】有機ＥＬ素子において、有機発光部を気密状態で封止することができ、有機発光部が劣化し難いものとする。有機ＥＬ素子１は、透光性基板２に設けられた有機発光部３を有する有機ＥＬ基板４と、発光部を封止する封止キャップ基板５と、を備える。有機ＥＬ基板は、発光部に給電する電極自体に設けられた第１の電極取出しパッド７ａ，７ｂと、透光性基板の周縁部に設けられた第１の接合部４０と、を有し、封止キャップ基板は、第１の電極取出しパッドと対向する第２の電極取出しパッド８ａ，８ｂと、封止キャップ基板を貫通する貫通配線９ａ，９ｂと、第１の接合部と対向する第２の接合部５０と、を有し、第１の接合部及び第２の接合部は、表面活性化接合によって接合される。この構成によれば、第１の接合部と第２の接合部とが接合されることにより、発光部を気密状態で封止することができ、発光部が劣化し難くなる。【選択図】図１
2013051230.tif 000002
【特許請求の範囲】
【請求項１】
透光性基板の一面に設けられた有機発光部を有する有機ＥＬ基板と、前記有機ＥＬ基板上に設けられて前記有機発光部を封止する封止キャップ基板と、を備えた有機ＥＬ素子であって、
前記有機ＥＬ基板は、前記有機発光部に給電する下部電極及び上部電極と、これら電極自体に設けられた第１の電極取出しパッドと、前記透光性基板の周縁部に設けられた第１の接合部と、を有し、
前記封止キャップ基板は、前記有機発光部に対向する位置に設けられた凹部と、前記第１の電極取出しパッドと対向する位置に設けられた第２の電極取出しパッドと、前記第２の電極取出しパッドから前記有機ＥＬ基板とは反対側へ該封止キャップ基板を貫通するように設けられた貫通配線と、前記第１の接合部と対向する位置に設けられた第２の接合部と、を有し、
前記第１の接合部及び第２の接合部は、表面活性化接合によって接合されていることを特徴とする有機ＥＬ素子。
【請求項２】
前記第１の電極取出しパッド及び第２の電極取出しパッドの接続面が、前記第１の接合部及び第２の接合部の接合界面と同一平面に存在していることを特徴とする請求項１に記載の有機ＥＬ素子。
【請求項３】
前記第１の接合部は、前記下部電極及び上部電極のいずれか一方又は両方を用いていることを特徴とする請求項１又は請求項２に記載の有機ＥＬ素子。
【請求項４】
前記第１の接合部は、前記第１の電極取出しパッドと一体的に形成され、
前記第２の接合部は、前記第２の電極取出しパッドと一体的に形成されていることを特徴とする請求項３に記載の有機ＥＬ素子。
【請求項５】
透光性基板上に有機発光部に給電するための正電極及び負電極の夫々に対応する下部電極を形成する工程と、
前記透光性基板上及び下部電極上に跨るように有機発光部を形成する工程と、
前記下部電極上及び有機発光部上に、上部電極を形成し、且つ該上部電極における前記有機発光部が設けられていない部分を第１の電極取出しパッドとする工程と、
前記透光性基板の周縁部に、前記上部電極と同一平面となるように、第１の接合部を形成する工程と、
前記有機発光部を封止する封止キャップ基板の、前記有機発光部と対向する位置に凹部を形成する工程と、
前記封止キャップ基板の、前記第１の電極取出しパッドと対向する位置に貫通孔を形成する工程と、
前記貫通孔に貫通配線を形成する工程と、
前記封止キャップ基板の、前記第１の接合部及び第１の電極取出しパッドと対向する位置に、夫々第２の接合部及び第２の電極取出しパッドを形成する工程と、
前記第１の電極取出しパッドと第２の電極取出しパッドとが接した状態で、前記第１の接合部と第２の接合部とを表面活性化接合によって接合する工程と、を含むことを特徴とする有機ＥＬ素子の製造方法。
【発明の詳細な説明】
【技術分野】
【０００１】
本発明は、有機発光部を封止した有機ＥＬ素子及びその製造方法に関する。
【背景技術】
【０００２】
有機ＥＬ素子は、低電圧で高輝度の発光が可能であり、有機発光層に用いられる有機材料の種類によって様々な発光色が得られ、また、平面状の発光パネルとしての製造が容易である。そのため、近年では、光源として有機ＥＬ素子を用いた発光パネルを備えた照明装置が注目されている。【０００３】
一般に、有機発光部に用いられる有機材料は、水分や酸素等の影響を受けて劣化し、発光性能や寿命が低下する。そのため、有機ＥＬ素子においては、有機材料を水分や酸素等から保護するため、有機発光部を封止する封止構造が採用されている。このような封止構造を備えた有機ＥＬ素子を図５に示す。有機ＥＬ素子１０１は、図５（ａ）（ｂ）に示すように、透光性基板１０２の一面に形成された有機発光部１０３を有する有機ＥＬ基板１０４と、有機ＥＬ基板１０４上に設けられて有機発光部１０３を封止する封止キャップ基板１０５と、を備える。透光性基板１０２上には、ＩＴＯ等の透光性導電材料から成る下部電極１３１がパターニングされている。有機発光部１０３は、下部電極１３１と透光性基板１０２の一部を跨ぐように形成され、有機発光部１０３上及び有機発光部１０３が設けられていない下部電極１３１上に、光反射性を有する上部電極１３２が形成される。封止キャップ基板１０５は、有機発光部１０３と対応する位置に凹部１５１が形成され、この凹部１５１の周縁部において、接着性の樹脂材料１４０を介して有機ＥＬ基板１０４と接合される。【０００４】
ところが、この構成においては、有機発光部１０３に給電するために、下部電極１３１の一部を素子外に延設して、電極取出し部（正電極１３１ａ及び負電極１３１ｂを設ける必要がある。また、これら正電極１３１ａ及び負電極１３１ｂは、互いに絶縁されるように、所定の間隔を空けて形成されている。そのため、有機ＥＬ基板１０４上には、正電極１３１ａ及び負電極１３１ｂが形成されている部分とそれが形成されていない部分との間に段差がある。図５（ｃ）に示すように、樹脂材料１４０がこれらの段差を跨ぐように一定膜厚で配されると、図５（ｄ）に示すように、樹脂材料１４０と封止キャップ基板１０５との間に隙間Ｇが生じて、気密を保った状態でそれらを接合することができない。【０００５】
そこで、フレキシブルなキャップ基板を用いて有機発光部を封止すると共に、キャップ基板を貫通する貫通配線を設けることによって、透光性基板とキャップ基板との接合面における段差を無くした有機ＥＬデバイスが知られている（例えば、特許文献１参照）。
【先行技術文献】
【特許文献】
【０００６】
【特許文献１】特開２０００−２４３５５５号公報
【発明の概要】
【発明が解決しようとする課題】
【０００７】
しかしながら、上記特許文献１の有機ＥＬデバイスにおいては、透光性基板と封止用のキャップ基板とが樹脂によって接合されているので機密性が悪く、樹脂と各基板との界面から水分や酸素が侵入して、有機発光部の外周部から有機材料が劣化する虞がある。また、樹脂の種類によっては、基板の接合時に、熱による硬化処理が必要となり、この熱によって有機材料が劣化する虞もある。【０００８】
本発明は、上記課題を解決するものであり、有機発光部を気密状態で封止することができ、有機発光部が劣化し難い有機ＥＬ素子及びその製造方法を提供することを目的とする。
【課題を解決するための手段】
【０００９】
上記課題を解決するため、本発明に係る有機ＥＬ素子は、透光性基板の一面に設けられた有機発光部を有する有機ＥＬ基板と、前記有機ＥＬ基板上に設けられて前記有機発光部を封止する封止キャップ基板と、を備えた有機ＥＬ素子であって、前記有機ＥＬ基板は、前記有機発光部に給電する下部電極及び上部電極と、これら電極自体に設けられた第１の電極取出しパッドと、前記透光性基板の周縁部に設けられた第１の接合部と、を有し、前記封止キャップ基板は、前記有機発光部に対向する位置に設けられた凹部と、前記第１の電極取出しパッドと対向する位置に設けられた第２の電極取出しパッドと、前記第２の電極取出しパッドから前記有機ＥＬ基板とは反対側へ該封止キャップ基板を貫通するように設けられた貫通配線と、前記第１の接合部と対向する位置に設けられた第２の接合部と、を有し、前記第１の接合部及び第２の接合部は、表面活性化接合によって接合されていることを特徴とする。【００１０】
上記有機ＥＬ素子において、前記第１の電極取出しパッド及び第２の電極取出しパッドの接続面が、前記第１の接合部及び第２の接合部の接合界面と同一平面に存在していることが好ましい。【００１１】
上記有機ＥＬ素子において、前記第１の接合部は、前記下部電極及び上部電極のいずれか一方又は両方を用いていることが好ましい。【００１２】
上記有機ＥＬ素子において、前記第１の接合部は、前記第１の電極取出しパッドと一体的に形成され、前記第２の接合部は、前記第２の電極取出しパッドと一体的に形成されていることが好ましい。【００１３】
上記有機ＥＬ素子は、透光性基板上に有機発光部に給電するための正電極及び負電極の夫々に対応する下部電極を形成する工程と、前記透光性基板上及び下部電極上に跨るように有機発光部を形成する工程と、前記下部電極上及び有機発光部上に、上部電極を形成し、且つ該上部電極における前記有機発光部が設けられていない部分を第１の電極取出しパッドとする工程と、前記透光性基板の周縁部に、前記上部電極と同一平面となるように、第１の接合部を形成する工程と、前記有機発光部を封止する封止キャップ基板の、前記有機発光部と対向する位置に凹部を形成する工程と、前記封止キャップ基板の、前記第１の電極取出しパッドと対向する位置に貫通孔を形成する工程と、前記貫通孔に貫通配線を形成する工程と、前記封止キャップ基板の、前記第１の接合部及び第１の電極取出しパッドと対向する位置に、夫々第２の接合部及び第２の電極取出しパッドを形成する工程と、前記第１の電極取出しパッドと第２の電極取出しパッドとが接した状態で、前記第１の接合部と第２の接合部とを表面活性化接合によって接合する工程と、を含む製造方法によって製造されることが好ましい。
【発明の効果】
【００１４】
本発明によれば、有機ＥＬ基板における透光性基板の周縁部に設けられた第１の接合部と、封止キャップ基板の第２の接合部とが、表面活性化接合によって接合されるので、有機発光部を気密状態で封止することができ、有機発光部が劣化し難くなる。
【図面の簡単な説明】
【００１５】
【図１】（ａ）は本発明の一実施形態に係る有機ＥＬ素子の側断面図、（ｂ）は同有機ＥＬ素子の有機ＥＬ基板の上面図、（ｃ）は同有機ＥＬ素子の封止キャップ基板の下面図、（ｄ）は同上面図。
【図２】（ａ）乃至（ｋ）は、同有機ＥＬ素子の製造方法を説明するための側断面図。
【図３】（ａ）は上記実施形態の変形例に係る有機ＥＬ素子の側断面図、（ｂ）は同有機ＥＬ素子の有機ＥＬ基板の上面図、（ｃ）は同有機ＥＬ素子の封止キャップ基板の下面図、（ｄ）は同上面図。
【図４】（ａ）は上記実施形態の他の変形例に係る有機ＥＬ素子の側断面図、（ｂ）は同有機ＥＬ素子の有機ＥＬ基板の上面図、（ｃ）は同有機ＥＬ素子の封止キャップ基板の下面図、（ｄ）は同上面図。
【図５】（ａ）は従来の有機ＥＬ素子の上面図、（ｂ）は（ａ）のＡ−Ａ線断面を含む同有機ＥＬ素子の側断面図、（ｃ）は（ａ）のＢ−Ｂ線断面図、（ｄ）は（ａ）のＢ−Ｂ線断面を含む同有機ＥＬ素子の側断面図。
【発明を実施するための形態】
【００１６】
本発明の一実施形態に係る有機ＥＬ素子の構成について、図１及び図２を参照して説明する。図１（ａ）に示すように、本実施形態の有機ＥＬ素子１は、透光性基板２の一面に形成された有機発光部３を有する有機ＥＬ基板４と、この有機ＥＬ基板４上に設けられて有機発光部３を封止する封止キャップ基板５と、を備える。
【００１７】
透光性基板２は、透光性を有する平面矩形状の板材であり、例えば、ソーダガラスや無アルカリガラス等のリジッドなガラス板、又はポリカーボネートやポリエチレンテレフタレート等のフレキシブルなプラスチック板等が用いられる。透光性基板２上には、下部電極３１がパターニングされ、透光性基板２の一部と下部電極３１を跨ぐように有機発光部３が形成され、有機発光部３上、及び下部電極３１において有機発光部３が形成されていない部分の上に上部電極３２が夫々形成される。
【００１８】
下部電極３１は、有機発光部３の正孔注入サイド及び電子注入サイドに夫々接続された正電極３１ａ及び負電極３１ｂから構成される。正電極３１ａは、図１（ｂ）に示すように、透光性基板２の中央部を含む比較的広い領域に形成されている。負電極３１ｂは、透光性基板２上において、正電極３１ａと絶縁されるように、正電極３１ａから所定間隔を空けて形成されている。また、正電極３１ａ及び負電極３１ｂは、透光性基板２の周縁から一定の間隔を空けて形成される。これら正電極３１ａ及び負電極３１ｂから成る下部電極３１は、ＩＴＯ、ＩＺＯ、酸化スズ又は酸化亜鉛等の透光性を有する導電性材料から形成される。
【００１９】
有機発光部３は、正電極３１ａ上、及び正電極３１ａと負電極３１ｂとの間に位置する透光性基板２上に跨るように形成される。このとき、正電極３１ａのうち、負電極３１ｂと近接する端部と反対側の端部には、有機発光部３が形成されない。有機発光部３は、例えば、正電極３１ａ側から、正孔注入層、正孔輸送層、有機発光材料を含む発光層、電子輸送層、及び電子注入層が、この順で積層された多層膜として形成される。これら各層を構成する材料には、有機ＥＬ素子の技術分野において汎用される有機材料等が適宜に用いられる。
【００２０】
上部電極３２もまた、有機発光部３の正孔注入サイド及び電子注入サイドに夫々接続された正電極３２ａ及び負電極３２ｂから成る。正電極３２ａは、下部電極３１の正電極３１ａのうち、有機発光部３が形成されていない部分の上に、有機発光部３と接触しないように形成される。負電極３２ｂは、有機発光部３上、及び下部電極３１の負電極３１ｂ上にこれらを跨ぐように形成される。これら正電極３２ａ及び負電極３２ｂから成る上部電極３２は、アルミニウム、銀又はマグネシウム等の光反射性を有する導電性金属材料から形成される。
【００２１】
下部電極３１、有機発光部３及び上部電極３２が上述した形状に形成されることにより、有機ＥＬ基板４の中央領域は、下部電極３１、有機発光部３及び上部電極３２が積層された構成となる。また、有機発光部３が形成されていない領域、すなわち上記中央領域の両側は、正電極３１ａ，３２ａ及び負電極３１ｂ，３２ｂが夫々積層された構成となる。そして、封止キャップ基板５と対向する正電極３２ａ及び負電極３２ｂの電極自体が、有機ＥＬ基板４の第１の電極取出しパッド７ａ，７ｂとして機能する（図１（ｂ）も参照）。第１の電極取出しパッド７ａ，７ｂは、下部電極３１上に上部電極３２を積層した構造となっているので、例えば、これらを真空蒸着法等により形成すれば、透光性基板２の上面からの高さが等しく、各上面が同一平面上に存在することになる（図１（ａ）も参照）。
【００２２】
透光性基板４の周縁部には、有機発光部３を囲うように、下部電極３１と所定間隔を空けて、第１の接合部４０が形成されている。この第１の接合部４０は、下部電極３１及び上部電極３２が積層された厚みと同じ厚みになるように形成される。こうすれば、第１の電極取出しパッド７ａ，７ｂ及び第１の接合部４０の各上面が同一平面上に存在することになる。第１の接合部４０は、金、プラチナ、アルミニウム、銀、銅、マグネシウム等の金属材料から形成される。
【００２３】
封止キャップ基板５は、図１（ｃ）（ｄ）に示すように、透光性基板２と略同形状の封止基板６と、第１の電極取出しパッド７ａ，７ｂと夫々対向する位置に設けられた第２の電極取出しパッド８ａ，８ｂと、を有する。封止基板６は、有機発光部３と対向する位置に形成された凹部６１を有する。凹部６１は、有機発光部３の厚みによって突出した上部電極３２（負電極３２ｂ）が、有機ＥＬ基板４と封止キャップ基板５とが接合された状態で、封止基板６に接触することを防止する。また、封止基板６は、第２の電極取出しパッド８ａ，８ｂから有機ＥＬ基板４とは反対側へ夫々貫通するように形成された貫通孔６２を有する。封止キャップ基板５は、各貫通孔６２に配されて第２の電極取出しパッド８ａ，８ｂと夫々電気的に接続された貫通配線９ａ，９ｂと、第１の接合部４０と対向する位置に設けられた第２の接合部５０と、を有する。第２の電極取出しパッド８ａ，８ｂは、第１の電極取出しパッド７ａ，７ｂ（上部電極３２）と同様、アルミニウム、銀又はマグネシウム等の導電性金属材料から形成される。また、貫通配線９ａ，９ｂ及び第２の接合部５０は、第１の接合部４０と同様、金、プラチナ、アルミニウム、銀、銅又はマグネシウム等の金属材料から形成される。
【００２４】
これら第２の電極取出しパッド８ａ，８ｂ及び第２の接合部５０は、同じ材料を用いて、同時にパターニング形成される。こうすれば、第２の電極取出しパッド８ａ，８ｂ及び第２の接合部５０の上面が同一平面上に存在することになる。また、第２の電極取出しパッド８ａ，８ｂ及び第２の接合部５０を個別に形成する場合よりも、製造効率を向上することができる。
【００２５】
そして、第１の接合部４０と第２の接合部４０とが、表面活性化接合によって接合されることにより、有機ＥＬ基板４上に封止キャップ基板５が固定され、封止基板６によって有機発光部３が封止される。表面活性化接合は、真空チャンバー内で、接合表面をイオンビームやプラズマ（アルゴンガス等の不活性ガス）等によってスパッタエッチングし、接合表面を他の原子との結合力が大きい活性な状態として、原子の結合手同士を直接結合させる接合方法である。この表面活性化接合によれば、例えば、常温でも強固な接合を得ることができる。
【００２６】
有機ＥＬ素子１においては、封止キャップ基板５に設けられた第２の電極取出しパッド８ａ，８ｂ及び貫通配線９ａ，９ｂを介して有機発光部３に対して給電するための配線がなされる。そのため、第１の接合部４０及び第２の接合部４０の接合界面には取出し電極や配線等が存在せず、表面活性化接合によって有機ＥＬ基板４と封止キャップ基板５との気密接合を行なうことができる。従って、封止キャップ基板を有機ＥＬ基板に樹脂接合した場合に比べて、有機発光部３をより確実に封止することができ、有機発光部３に用いられる有機材料の劣化を抑制することができる。また、有機ＥＬ基板４と封止キャップ基板５との接合を常温でも行なうことができるので、接合時に有機発光部３が熱に曝されず、製造工程における有機材料の変性等を抑制することができ、有機発光部３が劣化し難くなる。
【００２７】
また、有機ＥＬ素子１においては、第１の電極取出しパッド７ａ，７ｂ及び第１の接合部４０の各上面が同一平面上に存在し、第２の電極取出しパッド８ａ，８ｂ及び第２の接合部５０の各上面が同一平面上に存在する。そのため、第１の電極取出しパッド７ａ，７ｂ及び第２の電極取出しパッド８ａ，８ｂの接続面が、第１の接合部４０及び第２の接合部５０の接合界面と同一平面上に存在する。そのため、第１の接合部４０と第２の接合部４０とを接合させれば、接合と同時に第１の電極取出しパッド７ａ，７ｂ及び第２の電極取出しパッド８ａ，８ｂの接続面が電気的に接続される。また、有機ＥＬ基板４の第１の電極取出しパッド７ａ，７ｂと、封止キャップ基板５の第２の電極取出しパッド８ａ，８ｂとを、第１の接合部４０と第２の接合部５０と同様、表面活性化接合により接合することができる。こうすれば、第１の電極取出しパッド７ａ，７ｂ及び第２の電極取出しパッド８ａ，８ｂ間の接続が強固となり、また、有機ＥＬ基板４及び封止キャップ基板５の接合もより強固にすることができる。
【００２８】
次に、有機ＥＬ素子１の製造方法について、図２を参照して説明する。まず、図２（ａ）に示したような平面状の透光性基板２上に、図２（ｂ）に示すように、有機発光部３に給電するための正電極３１ａ及び負電極３１ｂの夫々に対応する下部電極３１を形成する。下部電極３１は、真空蒸着法やスパッタリング法、塗布等の手法を用いて、透光性基板２上に導電層を成膜した後、フォトリソグラフィ技術を用いたリフトオフ法又はエッチング法等によりパターニングすることより形成される。次に、図２（ｃ）に示すように、透光性基板２上及び下部電極３１上に跨るように有機発光部３を形成する。有機発光部３は、上述した正孔輸送層や発光層等を、真空蒸着法や塗布等の手法を用いて、所定のメタルマスクを用いて所定形状に成膜することによって形成される。続いて、図２（ｄ）に示すように、下部電極３１上及び有機発光部３上に、上部電極３２（正電極３２ａ及び負電極３２ｂ）を形成し、これら上部電極３２における有機発光部３が設けられていない部分を第１の電極取出しパッド７ａ，７ｂとする。この上部電極３２は、真空蒸着法、スパッタリング法等の手法を用いて形成される。そして、図２（ｅ）に示すように、透光性基板２の周縁部に、上部電極３２と同一平面となるように、第１の接合部４０を形成する。第１の接合部４０は、真空蒸着法、スパッタリング法等の手法に基づき、メタルマスク又はフォトリソグラフィ等を用いたパターニングにより形成される。これらの工程により有機ＥＬ基板４が作製される。
【００２９】
次に、封止キャップ基板５について、まず、図２（ｆ）に示すような透光性基板２と略同形状の封止基板６を用いて、図２（ｇ）に示すように、有機発光部３と対向する位置に凹部６１を形成する。次に、図２（ｈ）に示すように、封止基板６の、第１の電極取出しパッド７ａ，７ｂと対向する位置に貫通孔６２を形成する。これら凹部６１及び貫通孔６２は、例えばフォトブラスト等の手法を用いて加工される。続いて、図２（ｉ）に示すように、これら貫通孔６２に貫通配線９ａ，９ｂを形成する。貫通配線９ａ，９ｂは、真空蒸着法、スパッタリング法等の手法を用いて成膜した後に、めっきで充填することにより形成される。そして、図２（ｊ）に示すように、封止基板６の、第１の接合部４０及び第１の電極取出しパッド７ａ，７ｂと対向する位置に、夫々第２の接合部５０及び第２の電極取出しパッド８ａ，８ｂを形成する。第２の接合部５０及び第２の電極取出しパッド８ａ，８ｂは、真空蒸着法、スパッタリング法等の手法に基づき、メタルマスク又はフォトリソグラフィ等を用いたパターニングにより形成される。これらの工程により封止キャップ基板５が作製される。
【００３０】
そして、図２（ｋ）に示すように、有機ＥＬ基板４と封止キャップ基板５とを、第１の電極取出しパッド７ａ，７ｂと第２の電極取出しパッド８ａ，８ｂとが接した状態で、第１の接合部４０と第２の接合部５０とを表面活性化接合によって接合する。これらの工程により有機ＥＬ素子１が作製される。
【００３１】
次に、本実施形態の変形例に係る有機ＥＬ素子について、図３（ａ）乃至（ｄ）を参照して説明する。この変形例に係る有機ＥＬ素子１は、第１の接合部４０ａとして、有機発光部３に給電するための下部電極３１及び上部電極３２のいずれか一方又は両方を用いたものである。本例において具体的には、第１の接合部４０ａが、下部電極３１（正電極３１ａ及び負電極３１ｂ）と同じ構成の下部部材４１、及び上部電極３２（正電極３２ａ及び負電極３２ｂ）と同じ構成の上部部材４２によって形成される。これら下部部材４１及び上部部材４２は、下部電極３１及び上部電極３２と同時に形成される。他の構成は、上記実施形態と同様である。
【００３２】
この変形例によれば、第１の接合部４０ａを別途形成する工程が不要となり、製造効率を向上させることができる。また、例えば、上述した実施形態では、透光性基板２からの第１の接合部４０の高さが高過ぎると、第１の接合部４０及び第２の接合部５０の接合時に、第１の電極取出しパッド７ａ，７ｂが第２の電極取出しパッド８ａ，８ｂと接触しない。一方、第１の接合部４０の高さが低すぎると、第１の接合部４０と第２の接合部５０とを接合させることができない。これに対して、本変形例によれば、封止キャップ基板５の第２の接合部５０との接合界面である上部部材４２の上面の高さを、精密に第１の電極取出しパッド７ａ，７ｂと同じ高さにすることができる。従って、表面活性化接合によって有機ＥＬ基板４と封止キャップ基板５との気密接合をより確実に行なうことができる。
【００３３】
次に、本実施形態の他の変形例に係る有機ＥＬ素子について、図４（ａ）乃至（ｄ）を参照して説明する。この変形例に係る有機ＥＬ素子１においては、第１の接合部４０ｂが、第１の電極取出しパッド７ａ，７ｂと一体的に形成されている。また、第２の接合部５０ａは、第２の電極取出しパッド８ａ，８ｂと一体的に形成されている。本例において具体的には、図４（ａ）（ｂ）に示すように、第１の接合部４０ｂが、第１の電極取出しパッド７ｂ（負電極３１ｂ，３２ｂ）と一体的に形成されている。また、図４（ｃ）に示すように、第２の接合部５０ａが、第１の電極取出しパッド７ｂと電気的に接続される第２の電極取出しパッド８ｂと一体的に形成されている。他の構成は、上記変形例と同様である。
【００３４】
上記変形例においては、下部部材４１及び上部部材４２は、下部電極３１及び上部電極３２と同時に形成されるが、それの間には所定の間隔が設けられていた。これに対して、本変形例においては、負電極３１ｂ，３２ｂと第１の接合部４０ｂとが一体的に形成され、それらの間に間隔が設けられていない。すなわち、正電極３１ａ，３２ａと負電極３１ｂ，３２ｂとの間が絶縁されていれば、第１の接合部４０ｂが負電極３１ｂ，３２ｂ又は正電極３１ａ，３２ａのいずれか一方の電極に接続されていても、有機発光部３に適切な電流を流すことができる。そして、本変形例によれば、第１の接合部４０ｂと、負電極３１ｂ，３２ｂ又は正電極３１ａ，３２ａのいずれか一方の電極との間に間隔を設けなくてもよいので、その分、有機ＥＬ基板４における有機発光部３が形成されていない領域の面積を小さくすることができる。封止キャップ基板５も同様に、第２の接合部５０ａと、第２の電極取出しパッド８ｂとの間に間隔を設けなくてよいので、サイズを小さくすることができる。従って、有機発光部３の大きさを変えることなく素子全体の小型化が可能となる。
【００３５】
なお、本発明は、上記実施形態に限らず、種々の変形が可能である。例えば、上述した実施形態においては、有機ＥＬ基板４及び封止キャップ基板５において、一の有機発光部３に接続された正電極及び負電極に夫々対応する１対の電極取出しパッドを備えた構成を示したが、電極取出しパッドは複数対設けられていてもよい。また、封止キャップ基板５の凹部６１には、光反射層が形成されていてもよい。こうすれば、有機発光部３のうち、上部電極３２が設けられていない箇所から封止キャップ基板５側へ出射された光を、凹部６１によって透光性基板２側へ反射して、素子外へ取り出すことができる。また、凹部６１と上部電極３２との間には、乾燥剤等が充填されてもよい。
【符号の説明】
【００３６】
１    有機ＥＬ素子
２    透光性基板
３    有機発光部
３１    上部電極
３１ａ    正電極
３１ｂ    負電極
３２    下部電極
３２ａ    正電極
３２ｂ    負電極
４    有機ＥＬ基板
４０    第１の接合部
４０ａ    第１の接合部
４０ｂ    第１の接合部
５    封止キャップ基板
５０    第２の接合部
５０ａ    第２の接合部
６１    凹部
６２    貫通孔
７ａ    第１の電極取出しパッド（正電極）
７ｂ    第１の電極取出しパッド（負電極）
８ａ    第２の電極取出しパッド（正電極）
８ｂ    第２の電極取出しパッド（負電極）
９ａ    貫通配線（正電極）
９ｂ    貫通配線（負電極）
【図１】
2013051230.tif 000003
【図２】
2013051230.tif 000004
【図３】
2013051230.tif 000005
【図４】
2013051230.tif 000006
【図５】
2013051230.tif 000007
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
透光性基板の一面に設けられた有機発光部を有する有機ＥＬ基板と、前記有機ＥＬ基板上に設けられて前記有機発光部を封止する封止キャップ基板と、を備えた有機ＥＬ素子であって、
前記有機ＥＬ基板は、前記有機発光部に給電する下部電極及び上部電極と、これら電極自体に設けられた第１の電極取出しパッドと、前記透光性基板の周縁部に設けられた第１の接合部と、を有し、
前記封止キャップ基板は、前記有機発光部に対向する位置に設けられた凹部と、前記第１の電極取出しパッドと対向する位置に設けられた第２の電極取出しパッドと、前記第２の電極取出しパッドから前記有機ＥＬ基板とは反対側へ該封止キャップ基板を貫通するように設けられた貫通配線と、前記第１の接合部と対向する位置に設けられた第２の接合部と、を有し、
前記第１の電極取出しパッド及び第２の電極取出しパッドの接続面が、前記第１の接合部及び第２の接合部の接合界面と同一平面に存在しており、
前記第１の接合部及び第２の接合部は、表面活性化接合によって接合されていることを特徴とする有機ＥＬ素子。
【請求項２】
前記第１の接合部は、前記下部電極及び上部電極のいずれか一方又は両方を用いていることを特徴とする請求項１に記載の有機ＥＬ素子。
【請求項３】
前記第１の接合部は、前記第１の電極取出しパッドと一体的に形成され、
前記第２の接合部は、前記第２の電極取出しパッドと一体的に形成されていることを特徴とする請求項２に記載の有機ＥＬ素子。
【請求項４】
透光性基板上に有機発光部に給電するための正電極及び負電極の夫々に対応する下部電極を形成する工程と、
前記透光性基板上及び下部電極上に跨るように有機発光部を形成する工程と、
前記下部電極上及び有機発光部上に、上部電極を形成し、且つ該上部電極における前記有機発光部が設けられていない部分を第１の電極取出しパッドとする工程と、
前記透光性基板の周縁部に、前記上部電極と同一平面となるように、第１の接合部を形成する工程と、
前記有機発光部を封止する封止キャップ基板の、前記有機発光部と対向する位置に凹部を形成する工程と、
前記封止キャップ基板の、前記第１の電極取出しパッドと対向する位置に貫通孔を形成する工程と、
前記貫通孔に貫通配線を形成する工程と、
前記封止キャップ基板の、前記第１の接合部及び第１の電極取出しパッドと対向する位置に、夫々第２の接合部及び第２の電極取出しパッドを形成する工程と、
前記第１の電極取出しパッドと第２の電極取出しパッドとが接した状態で、前記第１の接合部と第２の接合部とを表面活性化接合によって接合する工程と、を含むことを特徴とする有機ＥＬ素子の製造方法。
【手続補正２】
【補正対象書類名】明細書
【補正対象項目名】０００９
【補正方法】変更
【補正の内容】
【０００９】
上記課題を解決するため、本発明に係る有機ＥＬ素子は、透光性基板の一面に設けられた有機発光部を有する有機ＥＬ基板と、前記有機ＥＬ基板上に設けられて前記有機発光部を封止する封止キャップ基板と、を備えた有機ＥＬ素子であって、前記有機ＥＬ基板は、前記有機発光部に給電する下部電極及び上部電極と、これら電極自体に設けられた第１の電極取出しパッドと、前記透光性基板の周縁部に設けられた第１の接合部と、を有し、前記封止キャップ基板は、前記有機発光部に対向する位置に設けられた凹部と、前記第１の電極取出しパッドと対向する位置に設けられた第２の電極取出しパッドと、前記第２の電極取出しパッドから前記有機ＥＬ基板とは反対側へ該封止キャップ基板を貫通するように設けられた貫通配線と、前記第１の接合部と対向する位置に設けられた第２の接合部と、を有し、前記第１の電極取出しパッド及び第２の電極取出しパッドの接続面が、前記第１の接合部及び第２の接合部の接合界面と同一平面に存在しており、前記第１の接合部及び第２の接合部は、表面活性化接合によって接合されていることを特徴とする。
【手続補正３】
【補正対象書類名】明細書
【補正対象項目名】００１０
【補正方法】削除
【補正の内容】
【国際調査報告】
2013051230.tif 000008
2013051230.tif 000009
2013051230.tif 000010